(57)【要約】【課題】  生産者が簡単に利活用できる計量で安価ないもち病発生予察装置を提供する。【解決手段】  葉濡れセンサ出力と転倒マスのパルスとを１チャネルに統合して可読性を向上させ、かつ圃場におけるバッテリの消耗を抑える。【選択図】図６
2007244355.tif 000002
【特許請求の範囲】
【請求項１】
転倒マスの出力するパルス信号をアナログ電圧信号に変換する回路（以下パルスー電圧変換回路と称する）を有し上記変換方法が転倒マスの出力する１パルスに対応して現在の出力電圧に所定のアナログ電圧をプラスして所定の時間保持して出力し、上記所定の時間が経過したら上記所定のアナログ電圧をマイナスして出力することを特徴とするいもち病発生予察装置。
【請求項２】
上記変換方法が所定の時間のパルス数をカウントして次の所定の時間の間中上記パルス数に対応したアナログ電圧を出力することを特徴とする請求項１記載のいもち病発生予察装置。
【請求項３】
上記パルスー電圧変換回路は電源がＯＮされた状態で所定のアナログ電圧を常時出力（以下ベース電圧出力と称する）し、上記転倒マスがパルス信号を出力した場合にパルス信号に対応したアナログ電圧を上記ベース電圧出力に上乗せすることを特徴とする請求項１から２のいづれかの項記載のいもち病発生予察装置。
【請求項４】
上記パルスー電圧変換回路が葉濡れセンサの濡れ検知出力によって電源がＯＮすることを特徴とする請求項１から３のいづれかの項記載のいもち病発生予察装置。
【請求項５】
上記葉濡れセンサと上記転倒マスと温湿度計が上記パルスー電圧変換回路とデータロガーを内蔵した制御盤とに接続され、バッテリにより電源が供給されることを特徴とする請求項４記載のいもち病発生予察装置。
【発明の詳細な説明】
【技術分野】
【０００１】  この発明は、生産者が簡単に利活用できるいもち病発生予察装置に関する。
【背景技術】
【０００２】  日本においては、作物・花キなどの栽培地帯は標高差が大きく地形が複雑なため地域毎に生育差が生じ栽培管理は難しい。一方で内陸部においては気温の日較差が大きく低湿度のため病害虫の発生が少なく省農薬栽培がしやすい地域もある。その地域に合う栽培管理や防除要否の判断が適切であれば省農薬型で高品質の作物の生産が可能となる。また、昨今農作物の残留農薬が大きくクローズアップされ、省農薬栽培がいっそう求められている。生産者は自らの耕作地のいもち病をはじめとする病害虫の発生予測や作物の生育・量・障害予測を行うために、ピンポイントの雨雪量や温湿度のデータを欲している。中でも降雨量の把握は大切であり、大量の雨はたとえばいもち病の菌を洗い流すという良い現象であるが、少量の長雨はむしろいもち病の菌の増殖を促すという悪い現象である。降雨量を測定する計測器として転倒マスが使われてきたが、転倒マスは所定（通常０．５ｍｍ／ｈ）の累計雨量があってはじめてマスが転倒して１パルスを出力するため、雨の降り始め、雨の降り止みを知ることができない。そのため、補助手段として感雨計と転倒マスを併用してトータルで降雨状態を判定するという作業が必要であった。しかし、通常感雨計はＯＮ・ＯＦＦ信号しか出力せず、転倒マスは棒グラフで表されることが多く、最低でも２チャネルのデータ収集が必要であった。
【発明が解決しようとする課題】
【０００３】  そこで、本発明は、生産者が簡単に利活用できる計量で安価ないもち病発生予察装置を提供することを目的として次の点を解決しようとした。
（１）葉濡れセンサ出力と転倒マス出力を１つにまとめて１チャネルで表現できなければならない。
（２）上記１チャネルのデータは圃場にて簡単に設置・収集されなければならない。
【課題を解決するための手段】
【０００４】  本発明は、上記の目的を達成するために次の構成を設ける。請求項１においては、  転倒マスの出力するパルス信号をアナログ電圧信号に変換する回路（以下パルスー電圧変換回路と称する）を有し上記変換方法が転倒マスの出力する１パルスに対応して現在の出力電圧に所定のアナログ電圧をプラスして所定の時間保持して出力し、上記所定の時間が経過したら上記所定のアナログ電圧をマイナスして出力する。
【０００５】  請求項２においては、上記変換方法が所定の時間のパルス数をカウントして次の所定の時間の間中上記パルス数に対応したアナログ電圧を出力する。
【０００６】  請求項３においては、上記パルスー電圧変換回路は電源がＯＮされた状態で所定のアナログ電圧を常時出力（以下ベース電圧出力と称する）し、上記転倒マスがパルス信号を出力した場合にパルス信号に対応したアナログ電圧を上記ベース電圧出力に上乗せして出力する。
【０００７】  請求項４においては、上記パルスー電圧変換回路が葉濡れセンサの濡れ検知出力によって電源がＯＮする。
【０００８】  請求項５においては、上記葉濡れセンサと上記転倒マスと温湿度計が上記パルスー電圧変換回路とデータロガーを内蔵した制御盤とに接続され、バッテリにより電源が供給される。
【発明を実施するための最良の形態】
【０００９】  本発明による実施例を図１〜図６に基づいて説明する。
図１は、転倒マスの出力するパルス信号をアナログ電圧信号に変換する回路のブロック図である。転倒マス１から出力されるパルス信号はパルスー電圧変換回路に入力され、所定の変換後アナログ電圧として出力される。【００１０】  図２は、請求項１の実施例を示している。転倒マスからの１パルスに対してパルスー電圧変換回路は０．１ボルトを上昇させて出力し１時間後に０．１ボルトを下降させて出力している。転倒マスの１パルスに対して１時間保持し続けているのは、出力電圧を読み取るデータロガーの読み取り周期を１時間に１回まで延ばすことができメモリ容量の少ないロガーでも充分対応が可能にするためである。請求項１では、電源スイッチがＯＦＦの場合のパルスー電圧変換回路の電圧出力は０ボルトである。また、電源スイッチがＯＮで転倒マスからのパルス入力がない場合もパルスー電圧変換回路の電圧出力は０ボルトである。【００１１】  図３は、請求項２の実施例を示している。１時間毎に区切ってパルス数のカウントを行い、次の１時間に前回のパルス数のカウントに応じた電圧出力を行っている。グラフでは１パルスで０．１ボルト、１０パルスで１．０ボルトを出力している。区切り時間を１時間としているのは、出力電圧を読み取るデータロガーの読み取り周期を１時間に１回ですむようにしているからである。請求項２では、電源スイッチがＯＦＦの場合のパルスー電圧変換回路の電圧出力は０ボルトである。また、電源スイッチがＯＮで転倒マスからのパルス入力がない場合もパルスー電圧変換回路の電圧出力は０ボルトである。【００１２】  図４は、請求項３の実施例を示している。図４は図２の変形型であり、図１に示す電源スイッチがＯＮしたときにすぐに１．０ボルトを出力し、その後は転倒マスからのパルス出力に応じて０．１ボルト／パルスを上昇させ、１時間後に０．１ボルトを下降させる。電源スイッチがＯＦＦすれば０ボルトとなる。請求項３では、電源スイッチがＯＦＦの場合の出力電圧は０ボルトであり、電源スイッチがＯＮの場合の出力電圧は１．０ボルト以上の出力となり、電源スイッチのＯＮ／ＯＦＦの状態が判別できる。【００１３】  図５は、請求項４の実施例を示している。パルスー電圧変換回路の電源スイッチは葉濡れセンサのＯＮ出力に連動している。葉濡れセンサは降雨開始の最初の１滴で反応することから、葉濡れセンサが降雨を感知していない間は当然転倒マスへも降雨がない状態でありパルスー電圧変換回路の電源を入れておく必要が無い。バッテリなどを電源とする場合には必要不可欠な省電力回路である。請求項４は葉濡れセンサがＯＦＦの状態で、降雨開始前と降雨停止後の乾き上がり状態を示しパルスー電圧変換回路の出力は０ボルトとなる。次に葉濡れセンサがＯＮの状態で、降雨中と降雨停止後の濡れ状態を示しパルスー電圧変換回路の出力は１．０ボルト＋転倒マスのパルス×０．１ボルトとなる。図４と図５によって電圧出力は１チャネルだけで葉濡れ状態と雨量状態を表現でき、データロガーは１チャネル用意するだけですむのである。【００１４】  図６は、請求項５の実施例を示している。制御盤の内部にはパルスー電圧変換回路４とデータロガー５が納められ、制御盤の屋根部分には葉濡れセンサ３が取り付けられ、制御盤の外部には転倒マス１と電源としてのバッテリ２が接続されている。【００１５】  以上、図１〜６に本発明の実施例を示したが、この実施形態にのみ本発明の範囲を限定するものでないことは言うまでもない。地域はもとより稲作以外の野菜栽培・果樹栽培・花キ栽培・芝管理などにおいても本発明は有効に機能する。また、商用電源がない圃場においては、バッテリのほか太陽光発電パネルや風力発電などを用いてもよいし、外部へのデータ回収には無線ＬＡＮやＰＨＳなどを利用してもよい。
【発明の効果】
【００１６】  本発明によれば、生産者が簡単に利活用できる計量で安価ないもち病発生予察装置を実現できる。
【図面の簡単な説明】
【図１】回路構成のブロック図である。
【図２】時間軸と電圧出力を示したグラフである。
【図３】時間軸と電圧出力を示したグラフである。
【図４】時間軸と電圧出力を示したグラフである。
【図５】回路構成のブロック図である。
【図６】実施例の構成図である。
【符号の説明】
１    転倒マス
２    バッテリ
３    葉濡れセンサ
４    パルスー電圧変換回路
５    データロガー
【図１】
2007244355.tif 000003
【図２】
2007244355.tif 000004
【図３】
2007244355.tif 000005
【図４】
2007244355.tif 000006
【図５】
2007244355.tif 000007
【図６】
2007244355.tif 000008